(57)【要約】【課題】誤って手に刺さることが生じにくい画鋲１４の提供。【解決手段】画鋲１４は、押圧部１６、針部１８及びフィルム２０を備えている。押圧部１６は、表側面２２、裏側面２４、下端面２６及び上側面２８を備えている。下端面２６は、水平方向に延びている。押圧部１６は板状である。針部１８は、押圧部１６の下端面２６から下方に延びている。針部１８の軸方向は、押圧部１６の厚み方向に対して垂直である。針部１８は、押圧部１６と一体的に形成されている。押圧部１６及び針部１８は、鋼からなる。フィルム２０は、押圧部１６を覆っている。このフィルム２０は、弾性材料からなる。この画鋲１４が平面に置かれると、押圧部１６が板状なので、表側面２２又は裏側面２４が平面と接する。この画鋲１４では、針部１８が起立した姿勢が生じにくい。【選択図】図１
2007090700.tif 000002
【特許請求の範囲】
【請求項１】
板状の押圧部と、この押圧部の下端面から下方に延びる針部とを備えた画鋲。
【請求項２】
上記下端面が水平方向に延びる請求項１に記載の画鋲。
【請求項３】
上記押圧部が弾性フィルムで被覆された請求項１又は２に記載の画鋲。
【発明の詳細な説明】
【技術分野】
【０００１】
本発明は、画鋲（押しピン）に関する。
【背景技術】
【０００２】
掲示板に書類を貼り付けるとき、画鋲が用いられる。図６（ａ）には、従来の画鋲２が示されている。この画鋲２は、フランジ４と針部６とからなる。フランジ４と針部６とは、通常は金属材料からなる。フランジ４と針部６とは、一体とされている。
【０００３】
図６（ｂ）にも、従来の画鋲８が示されている。この画鋲８は、玉部１０と針部１２とからなる。玉部１０は合成樹脂からなり、針部１２は金属材料からなる。針部１２の一端は、玉部１０に差し込まれている。針部１２は、玉部１０に固定されている。
【発明の開示】
【発明が解決しようとする課題】
【０００４】
図６（ａ）に示された画鋲２が机等の平面の上に置かれると、フランジ４の上面が平面に接する姿勢となりやすい。この場合、針部６は上向きに起立する。この状態で誤ってヒトが平面に手を置くと、針部６が手に刺さってしまう。幼児のいる幼稚園や老人の多い施設での使用には、この画鋲２は適していない。
【０００５】
図６（ｂ）の画鋲８が平面に置かれても、針部１２が上向きに起立した姿勢にはなりにくい。しかし、ヒトが平面に手を置くと、この手から加えられた力によって玉部１０が回転し、針部１２が上向きになるおそれがある。針部１２が上を向くと、針部１２が手に刺さってしまう。
【０００６】
本発明の目的は、誤って手に刺さることが生じにくい画鋲の提供にある。
【課題を解決するための手段】
【０００７】
本発明に係る画鋲は、板状の押圧部と、この押圧部の下端面から下方に延びる針部とを備える。好ましくは、下端面は水平方向に延びる。好ましくは、押圧部は、弾性フィルムで被覆される。
【発明の効果】
【０００８】
この画鋲では、押圧部が板状であり、かつこの押圧部の下端面から下方に針部が延びるので、平面に置かれた場合でも針部が起立しにくい。この画鋲は、安全である。
【発明を実施するための最良の形態】
【０００９】
以下、適宜図面が参照されつつ、好ましい実施形態に基づいて本発明が詳細に説明される。
【００１０】
図１（ａ）は本発明の一実施形態に係る画鋲１４が示された正面図であり、図１（ｂ）は図１（ａ）のＢ−Ｂ線に沿った断面図である。この画鋲１４は、押圧部１６、針部１８及びフィルム２０を備えている。
【００１１】
図２は、図１の画鋲１４の押圧部１６及び針部１８が示された斜視図である。この押圧部１６は、表側面２２、裏側面２４、下端面２６及び上側面２８を備えている。図１（ａ）に示されるように、表側面２２及び裏側面２４の形状は、半円状である。表側面２２及び裏側面２４が半円以外の形状であってもよい。
【００１２】
図１（ａ）において両矢印Ｗで示されているのは、押圧部１６の幅である。図１（ｂ）において両矢印Ｔで示されているのは、押圧部１６の厚みである。この例では、押圧部１６の厚みＴは、針部１８の厚みと同一である。厚みＴは、幅Ｗに対して十分小さい。換言すれば、押圧部１６は板状である。図１（ａ）から明らかなように、押圧部１６の下端面２６は、左右方向（水平方向）に延びている。押圧部１６は、硬質材料からなる。好ましくは、押圧部１６は金属材料からなる。典型的な金属材料は、鋼である。
【００１３】
針部１８は、押圧部１６の下端面２６から下方に延びている。針部１８の軸方向は、押圧部１６の厚み方向に対して垂直である。針部１８の断面形状は、矩形である。断面形状が円である針部１８が設けられてもよい。針部１８の下端は、先細り形状である。針部１８は、硬質材料からなる。好ましくは、針部１８は金属材料からなる。典型的な金属材料は、鋼である。針部１８は、押圧部１６と一体的に形成されている。針部１８が押圧部１６とは別に形成され、押圧部１６に接合されてもよい。
【００１４】
フィルム２０は、押圧部１６を覆っている。このフィルム２０は、弾性材料からなる。具体的には、フィルム２０は、合成樹脂又はゴムからなる。典型的な合成樹脂は、ポリエチレンである。フィルム２０の厚みは、０．０５ｍｍから２．０ｍｍ程度である。フィルム２０が省略されてもよい。
【００１５】
この画鋲１４が平面に置かれると、押圧部１６が板状なので、表側面２２又は裏側面２４が平面と接する。この状態では、針部１８も平面に沿う。この画鋲１４では、針部１８が起立した姿勢が生じにくい。ヒトが平面に手を置いても、針部１８は起立しにくい。この画鋲１４では、ヒトが誤って針部１８を手に刺すことがない。また、この画鋲１４が床にあるときでも、ヒトが誤って針部１８を足に刺すことがない。この画鋲１４は、安全である。
【００１６】
針部１８が起立しにくいとの観点から、幅Ｗに対する厚みＴの比率は３０％以下が好ましく、１５％以下がより好ましい。押圧部１６の強度の観点から、比率は２％以上が好ましい。厚みＴは、通常は０．１ｍｍ以上５．０ｍｍ以下である。
【００１７】
図３は、図１の画鋲１４の使用状態が示された拡大断面図である。この図３には、ボード３０及び書類３２（掲示物）も示されている。図３から明らかなように、針部１８は書類３２を貫通し、ボード３０に至っている。この画鋲１４が用いられて書類３２がボード３０に掲示されるには、まずボード３０の表面に書類３２が位置される。次に、ヒトがフィルム２０を介して押圧部１６を摘みつつ、針部１８を書類３２及びボード３０に突き刺す。ヒトは、下端面２６を覆うフィルム２０が書類３２に当接するまで、画鋲１４を押し込む。これにより、書類３２がボード３０に固定される。この画鋲１４は弾性のフィルム２０を備えているので、ボード３０に押し込まれるときでも、ヒトは指の痛みを感じにくい。弾性フィルム２０の摩擦係数は金属材料のそれよりも大きいので、針部１８をボード３０に押し込むとき、ヒトはさほど大きな力を要しない。ヒトが画鋲１４を抜くときも、フィルム２０を介して押圧部１６を摘むことができるので、ヒトはさほど大きな力を要しない。
【００１８】
画鋲１４がボード３０に強く押し込まれると、図３に示されるようにフィルム２０が弾性変形し、厚み方向に張り出す。この変形の復元力により、書類３２は押され続ける。この画鋲１４では、書類３２がボード３０からはずれにくい。しかも、フィルム２０は押圧部１６よりも柔軟なので、書類３２が破れにくい。
【００１９】
この画鋲１４では、下端面２６が水平に延びているので、比較的広い面積をもって画鋲１４と書類３２とが接触する。従って、書類３２が破れにくい。
【００２０】
この画鋲１４の製造では、まず金属板が打ち抜かれて、押圧部１６及び針部１８が一体的に形成される。次に、押圧部１６に溶融合成樹脂が塗工され、凝固される。これにより、押圧部１６を覆うフィルム２０が得られる。この方法では、極めて容易に画鋲１４が製造されうる。
【００２１】
図４は、本発明の他の実施形態に係る画鋲３４が示された斜視図である。また、図５（ａ）は図４の画鋲３４が示された正面図であり、図５（ｂ）はその右側面図である。この画鋲３４は、押圧部３６と、２本の針部３８とを備えている。押圧部３６の形状及び材質は、図１に示された画鋲１４の押圧部１６と同等である。画鋲３４が、押圧部３６を覆う弾性フィルムを備えてもよい。
【００２２】
針部３８は、押圧部３６の下端面４０から下方に延びている。一方の針部３８は押圧部３６の左端に位置しており、他方の針部３８は押圧部３６の右端に位置している。針部３８の軸方向は、押圧部３６の厚み方向に対して垂直である。針部３８の断面形状は、矩形である。針部３８の下端は、先細り形状である。針部３８の形状及び材質は、図１に示された画鋲１４の針部１８と同等である。この針部３８は、押圧部３６と一体的に形成されうる。
【００２３】
この画鋲３４が平面に置かれると、押圧部３６が板状なので、表側面４２又は裏側面４４が平面と接する。この状態では、針部３８も平面に沿う。この画鋲３４では、針部３８が起立した姿勢が生じにくい。ヒトが平面に手を置いても、針部３８は起立しにくい。この画鋲３４では、ヒトが誤って針部３８を手や足に刺すことがない。この画鋲３４は、安全である。この画鋲３４も、図１に示された画鋲１４と同様、針部３８がボード３０に差し込まれて使用される。
【産業上の利用可能性】
【００２４】
本発明に係る画鋲は、幼稚園、学校、老人用施設、身体障害者用施設、家庭等において好適に用いられうる。
【図面の簡単な説明】
【００２５】
【図１】図１（ａ）は本発明の一実施形態に係る画鋲が示された正面図であり、図１（ｂ）は図１（ａ）のＢ−Ｂ線に沿った断面図である。
【図２】図２は、図１の画鋲の押圧部及び針部が示された斜視図である。
【図３】図３は、図１の画鋲の使用状態が示された拡大断面図である。
【図４】図４は、本発明の他の実施形態に係る画鋲が示された斜視図である。
【図５】図５（ａ）は図４の画鋲が示された正面図であり、図５（ｂ）はその右側面図である。
【図６】図６（ａ）は従来の画鋲が示された斜視図であり、図６（ｂ）は従来の他の画鋲が示された斜視図である。
【符号の説明】
【００２６】
１４、３４・・・画鋲
１６、３６・・・押圧部
１８、３８・・・針部
２０・・・フィルム
２２・・・表側面
２４・・・裏側面
２６、４０・・・下端面
２８・・・上側面
【図１】
2007090700.tif 000003
【図２】
2007090700.tif 000004
【図３】
2007090700.tif 000005
【図４】
2007090700.tif 000006
【図５】
2007090700.tif 000007
【図６】
2007090700.tif 000008